(57)【要約】      （修正有）【課題】フォーカシングレンズ群が小型であり、かつ全系が小型で所定のズーム比が容易に得られるズームレンズを提供する。【解決手段】物体側より像側へ順に配置された、正の屈折力の第１レンズ群Ｌ１、負の屈折力の第２レンズ群Ｌ２、負の屈折力の第３レンズ群Ｌ３、正の屈折力の第４レンズ群Ｌ４、負の屈折力の第５レンズ群Ｌ５、負の屈折力の第６レンズ群Ｌ６、正の屈折力の第７レンズ群Ｌ７より成り、ズーミングに際して隣り合うレンズ群の間隔が変化するズームレンズであって、無限遠から近距離へのフォーカシングに際して、前記第３レンズ群Ｌ３は物体側に移動すること。【選択図】図１
2019032389.tif 000002
【特許請求の範囲】
【請求項１】
物体側より像側へ順に配置された、正の屈折力の第１レンズ群、負の屈折力の第２レンズ群、負の屈折力の第３レンズ群、正の屈折力の第４レンズ群、負の屈折力の第５レンズ群、負の屈折力の第６レンズ群、正の屈折力の第７レンズ群より成り、ズーミングに際して隣り合うレンズ群の間隔が変化するズームレンズであって、無限遠から近距離へのフォーカシングに際して、前記第３レンズ群は物体側に移動することを特徴とするズームレンズ。
【請求項２】
ズーミングに際して、前記第１レンズ群は移動し、広角端から望遠端へのズーミングにおける前記第１レンズ群の移動量をＭＬ１、広角端に比べて望遠端において物体側に位置するときの移動量ＭＬ１の符号を負、広角端に比べて望遠端において像側に位置するとき移動量ＭＬ１の符号を正、広角端におけるレンズ全長をＴＤｗとするとき、
０．３０＜−ＭＬ１／ＴＤｗ＜０．６０
なる条件式を満たすことを特徴とする請求項１に記載のズームレンズ。
【請求項３】
ズーミングに際して前記第７レンズ群は移動し、広角端から望遠端へのズーミングにおける前記第７レンズ群の移動量をＭＬ７、広角端に比べて望遠端において物体側に位置するときの移動量ＭＬ７の符号を負、広角端に比べて望遠端において像側に位置するときを移動量ＭＬ７の符号を正、広角端におけるレンズ全長をＴＤｗとするとき、
０．１０＜−ＭＬ７／ＴＤｗ＜０．４０
なる条件式を満たすことを特徴とする請求項１または２に記載のズームレンズ。
【請求項４】
広角端から望遠端へのズーミングにおける前記第１レンズ群と前記第２レンズ群の間隔変化量をＤ１２、は、広角端に比べて望遠端において間隔変化量が増加するときの符号を正、減少するとき符号を負、広角端におけるレンズ全長をＴＤｗとするとき、
０．２０＜Ｄ１２／ＴＤｗ＜０．６０
なる条件式を満たすことを特徴とする請求項１乃至３のいずれか１項に記載のズームレンズ。
【請求項５】
広角端から望遠端へのズーミングにおける前記第３レンズ群と前記第４レンズ群の間隔変化量をＤ３４、広角端に比べて望遠端において間隔変化量が増加するときの符号を正、減少するときの符号を負、広角端におけるレンズ全長をＴＤｗとするとき、
０．０８＜−Ｄ３４／ＴＤｗ＜０．３０
なる条件式を満たすことを特徴とする請求項１乃至４のいずれか１項に記載のズームレンズ。
【請求項６】
広角端から望遠端へのズーミングにおける前記第４レンズ群と前記第５レンズ群の間隔変化量をＤ４５、広角端に比べて望遠端において間隔変化量が増加するときの符号を正、減少するときの符号を負、広角端におけるレンズ全長をＴＤｗとするとき、
０．０２＜Ｄ４５／ＴＤｗ＜０．１０
なる条件式を満たすことを特徴とする請求項１乃至５のいずれか１項に記載のズームレンズ。
【請求項７】
広角端から望遠端へのズーミングにおける前記第５レンズ群と前記第６レンズ群の間隔変化量をＤ５６、広角端に比べて望遠端において間隔変化量が増加するときの符号を正、減少するときの符号を負、広角端におけるレンズ全長をＴＤｗとするとき、
０．０２＜−Ｄ５６／ＴＤｗ＜０．１０
なる条件式を満たすことを特徴とする請求項１乃至６のいずれか１項に記載のズームレンズ。
【請求項８】
広角端から望遠端へのズーミングにおける前記第６レンズ群と前記第７レンズ群の間隔変化量をＤ６７、広角端に比べて望遠端において間隔変化量が増加するときの符号を正、減少するときの符号を負、広角端におけるレンズ全長をＴＤｗとするとき、
０．０２＜Ｄ６７／ＴＤｗ＜０．２０
なる条件式を満たすことを特徴とする請求項１乃至７のいずれか１項に記載のズームレンズ。
【請求項９】
前記第２レンズ群の焦点距離をｆＬ２、前記第３レンズ群の焦点距離をｆＬ３とするとき、
０．５０＜ｆＬ３／ｆＬ２＜２．００
なる条件式を満たすことを特徴とする請求項１乃至８のいずれか１項に記載のズームレンズ。
【請求項１０】
前記第５レンズ群の焦点距離をｆＬ５、前記第６レンズ群の焦点距離をｆＬ６とするとき、
０．２０＜ｆＬ６／ｆＬ５＜２．００
なる条件式を満たすことを特徴とする請求項１乃至９のいずれか１項に記載のズームレンズ。
【請求項１１】
前記第１レンズ群の焦点距離をｆＬ１、前記第２レンズ群の焦点距離をｆＬ２、前記第３レンズ群の焦点距離をｆＬ３、前記第４レンズ群の焦点距離をｆＬ４、前記第５レンズ群の焦点距離をｆＬ５、前記第６レンズ群の焦点距離をｆＬ６、前記第７レンズ群の焦点距離をｆＬ７、広角端における全系の焦点距離をｆｗとするとき、
２．００＜ｆＬ１／ｆｗ＜７．００
０．８０＜−ｆＬ２／ｆｗ＜２．５０
１．００＜−ｆＬ３／ｆｗ＜３．００
０．５０＜ｆＬ４／ｆｗ＜１．５０
１．００＜−ｆＬ５／ｆｗ＜５．００
０．８０＜−ｆＬ６／ｆｗ＜４．００
１．５０＜ｆＬ７／ｆｗ＜５．００
なる条件式の少なくとも１つを満たすことを特徴とする請求項１乃至１０のいずれか１項に記載のズームレンズ。
【請求項１２】
前記第３レンズ群は１枚の負レンズより構成されることを特徴とする請求項１乃至１１のいずれか１項に記載のズームレンズ。
【請求項１３】
前記第３レンズ群は負レンズと該負レンズの像側に配置された正レンズを接合した接合レンズ、及び負レンズより構成されることを特徴とする請求項１乃至１１のいずれか１項に記載のズームレンズ。
【請求項１４】
請求項１乃至１３のいずれか１項に記載のズームレンズと該ズームレンズによって形成される像を受光する撮像素子を有することを特徴とする撮像装置。
【発明の詳細な説明】
【技術分野】
【０００１】
本発明は、ズームレンズ及びそれを有する撮像装置に関し、例えばデジタルカメラ、ビデオカメラ、放送用カメラ、監視用カメラなどの撮像装置の撮像光学系として好適なものである。
【背景技術】
【０００２】
標準画角を広範囲で網羅する標準ズームレンズに対して小型化と高倍化の要望がある。また近年、デジタルカメラには、静止画だけでなく動画の撮影も要望されている。そのため、動画撮影に対応可能な光学系において、フォーカスレンズ群を小型にして静穏駆動させることにより、合焦の際に駆動音が録音されないようにすることが重要になる。
【０００３】
従来、最も物体側に正の屈折力のレンズ群を配置したポジティブリード型で比較的高ズーム比で物体側の第１レンズ群以外のレンズ群でフォーカシングを行ったズームレンズが知られている（特許文献１、２）。
【０００４】
特許文献１では、物体側より像側へ順に、正、負、正、負、正の屈折力の第１レンズ群乃至第５レンズ群より構成され、ズーミングに際して隣り合うレンズ群の間隔が変化し、フォーカシングに際して、第４レンズ群が移動するズームレンズを開示している。また特許文献２では物体側より像側へ順に、正、負、負、正の屈折力の第１レンズ群乃至第４レンズ群より構成され、ズーミングに際して隣り合うレンズ群の間隔が変化し、フォーカシングに際して第３レンズ群が移動するズームレンズを開示している。
【先行技術文献】
【特許文献】
【０００５】
【特許文献１】特開２０１６−７１２８３号公報
【特許文献２】特開２０１０−１７５９５４号公報
【発明の概要】
【発明が解決しようとする課題】
【０００６】
撮像装置に用いるズームレンズには、所定のズーム比を有し、レンズ系全体が小型であること、フォーカスレンズ群が小型軽量でフォーカシングに際して収差変動が少ないこと等が強く要望されている。例えばフォーカスレンズ群を小型軽量にするため、フォーカスレンズ群の構成レンズ枚数を少なくすると、フォーカスレンズ群の残存収差が大きくなる。このため、フォーカシングに際して収差変動が大きくなり、遠距離から近距離までの物体距離全般にわたり良好な光学性能を得ることが難しくなる。
【０００７】
所定のズーム比を有し、フォーカスレンズ群が小型で、かつフォーカシングに際しての収差変動の少なく、全系が小型のズームレンズを得るには、レンズ群の数や各レンズ群の屈折力等を適切に設定することが重要になってくる。例えばズーミングに際しての各レンズ群の移動条件やフォーカスレンズ群の選定及びフォーカス移動条件等を適切に設定しないと所定のズーム比を確保しつつ、全系の小型化を図りつつ、高い光学性能を得るのが大変困難になってくる。
【０００８】
本発明は、フォーカシングレンズ群が小型であり、かつ全系が小型で所定のズーム比が容易に得られるズームレンズの提供を目的とする。
【課題を解決するための手段】
【０００９】
本発明のズームレンズは、物体側より像側へ順に配置された、正の屈折力の第１レンズ群、負の屈折力の第２レンズ群、負の屈折力の第３レンズ群、正の屈折力の第４レンズ群、負の屈折力の第５レンズ群、負の屈折力の第６レンズ群、正の屈折力の第７レンズ群より成り、ズーミングに際して隣り合うレンズ群の間隔が変化するズームレンズであって、無限遠から近距離へのフォーカシングに際して、前記第３レンズ群は物体側に移動することを特徴としている。
【発明の効果】
【００１０】
本発明によれば、フォーカシングレンズ群が小型であり、かつ全系が小型で所定のズーム比が容易に得られるズームレンズが得られる。
【図面の簡単な説明】
【００１１】
【図１】実施例１の無限遠に合焦時（フォーカス時）の広角端におけるレンズ断面図
【図２】（Ａ）、（Ｂ）  実施例１の無限遠に合焦時の広角端、望遠端における収差図
【図３】実施例２の無限遠に合焦時の広角端におけるレンズ断面図
【図４】（Ａ）、（Ｂ）  実施例２の無限遠に合焦時の広角端、望遠端における収差図
【図５】実施例３の無限遠に合焦時の広角端におけるレンズ断面図
【図６】（Ａ）、（Ｂ）  実施例３の無限遠に合焦時の広角端、望遠端における収差図
【図７】本発明のズームレンズを搭載したデジタル一眼レフカメラ（撮像装置）の要部概略図
【発明を実施するための形態】
【００１２】
以下に本発明の好ましい実施の形態を、添付の図面に基づいて説明する。本発明のズームレンズは、物体側より像側へ順に配置された、次のレンズ群より構成されている。
【００１３】
正の屈折力の第１レンズ群、負の屈折力の第２レンズ群、負の屈折力の第３レンズ群、正の屈折力の第４レンズ群、負の屈折力の第５レンズ群、負の屈折力の第６レンズ群、正の屈折力の第７レンズ群より成る。広角端から望遠端へのズーミングに際して、第１レンズ群が物体側に移動し、ズーミングに際して隣り合うレンズ群の間隔が変化する。フォーカシングに際して第３レンズ群が移動する。尚、本発明に係るレンズ群とは、ズーミングに際して光軸方向のレンズ間隔の変化によって分けられるレンズ系をいう。
【００１４】
図１は実施例１の無限遠に合焦時（フォーカス時）の広角端（短焦点距離端）におけるレンズ断面図である。図２（Ａ）、（Ｂ）は実施例１の無限遠に合焦時の広角端、望遠端（長焦点距離端）における収差図である。実施例１はズーム比４．１３、Ｆナンバー４．１１のズームレンズである。
【００１５】
図３は実施例２の無限遠に合焦時の広角端におけるレンズ断面図である。図４（Ａ）、（Ｂ）は実施例２の無限遠に合焦時の広角端、望遠端における収差図である。実施例２はズーム比４．１３、Ｆナンバー４．１１のズームレンズである。
【００１６】
図５は実施例３の無限遠に合焦時の広角端におけるレンズ断面図である。図６（Ａ）、（Ｂ）は実施例３の無限遠に合焦時の広角端、望遠端における収差図である。実施例３はズーム比４．１３、Ｆナンバー４．１１のズームレンズである。図７は本発明のズームレンズを搭載したデジタル一眼レフカメラ（撮像装置）の要部概略図である。
【００１７】
本発明のズームレンズはデジタルカメラ、ビデオカメラ、放送用カメラ、監視用カメラ、などの撮像装置の撮像光学系として用いられる。尚、本発明のズームレンズは投射装置（プロジェクタ）用の投射光学系として用いることもできる。レンズ断面図において、左方が物体側（前方）で、右方が像側（後方）である。また、レンズ断面図において、Ｌ０はズームレンズである。またｉを物体側からのレンズ群の順番とすると、Ｌｉは第ｉレンズ群である。
【００１８】
ＳＰは開口絞りである。ＳＳＰはフレアーカット絞りである。ＩＳは像ぶれ補正用のレンズ群である。ＩＰは像面である。像面ＩＰは、デジタルカメラやビデオカメラなどの撮像装置としてズームレンズを使用する際には、ＣＣＤセンサーやＣＭＯＳセンサなどの撮像素子（光電変換素子）の撮像面に相当する。矢印は広角端から望遠端へのズーミングに際して、各レンズ群の移動軌跡を示している。フォーカスに関する矢印は無限遠から近距離へのフォーカシングに際してのフォーカスレンズ群の移動方向を示す。
【００１９】
球面収差図において、ＦｎｏはＦナンバーである。またｄはｄ線（波長５８７．６ｎｍ）、ｇはｇ線（波長４３５．８ｎｍ）である。非点収差図でＭはｄ線におけるメリディオナル像面、Ｓはｄ線におけるサジタル像面である。歪曲収差図はｄ線について示している。倍率色収差図はｇ線について示している。ωは半画角（度）である。
【００２０】
従来、物体側より像側へ順に、正、負、正の屈折力の第１レンズ群乃至第３レンズ群より成る３群ズームレンズが知られている。３群ズームレンズは、広角端から望遠端へのズーミングに際し、第１レンズ群と第２レンズ群の間隔を広げることで、主に変倍を行っている。この時、全系を小型にするには、広角端から望遠端までのいずれかのズームポジションでレンズ全長を短くしさえすれば、そのズームポジションで全系のレンズ全長を決定することができる。
【００２１】
そのため、全系を最も効率的に小型化するには、広角端を最短のレンズ全長とし、広角端から望遠端へのズーミングに際して第１レンズ群を物体側へ移動する（繰り出す）タイプが良い。この時、第１レンズ群の保持鏡筒は、第１レンズ群が繰り出す分だけ長くする必要があり、広角端ではその鏡筒を本体に収納し切る必要がある。このため、第１レンズ群の最大繰り出し量は限られてくる。
【００２２】
これに対して、第１レンズ群と第２レンズ群の間隔変化以外にも効率的に変倍を行うズームタイプとして、従来、正、負、正、負、正の屈折力の第１レンズ群Ｌ１乃至第５レンズ群よりなるズームタイプが知られている。５群ズームレンズにおいて、小型軽量の第４レンズ群でフォーカシングを行う場合、第４レンズ群がフォーカシングで駆動する分の空間をレンズ系中に確保する必要があり、レンズ全長が増大する傾向となる。
【００２３】
そこで本発明ではまず、５群ズームレンズで言う負の屈折力の第２レンズ群を、２つの負の屈折力のレンズ群に分けた。更に負の屈折力の第４レンズ群を２つの負の屈折力のレンズ群に分けて全体として７つのレンズ群よりなる７群ズームレンズとした。そして第３レンズ群Ｌ３でフォーカシングを行う構成とした。
【００２４】
具体的には本発明のズームレンズは、物体側より像側へ順に配置された、正の屈折力の第１レンズ群Ｌ１、負の屈折力の第２レンズ群Ｌ２、負の屈折力の第３レンズ群Ｌ３、正の屈折力の第４レンズ群Ｌ４、負の屈折力の第５レンズ群Ｌ５より構成している。更に負の屈折力の第６レンズ群Ｌ６、正の屈折力の第７レンズ群Ｌ７より構成している。そしてズーミングに際して隣り合うレンズ群の間隔が変化する。無限遠から近距離へのフォーカシングに際して、第３レンズ群Ｌ３は物体側に移動する。
【００２５】
そして、広角端において、第４レンズ群Ｌ４と第５レンズ群Ｌ５を近接させ、第６レンズ群Ｌ６と第７レンズ群Ｌ７を近接させ、それぞれ望遠端へのズーミングに際し、間隔を広げるように駆動させて変倍を効率的に行っている。
【００２６】
具体的には、広角端から望遠端へのズーミングに際し、第１レンズ群Ｌ１が物体側に移動する。そして第１レンズ群Ｌ１と第２レンズ群Ｌ２の間隔が広がり、第２レンズ群Ｌ２と第３レンズ群Ｌ３の間隔が広がる。第３レンズ群Ｌ３と第４レンズ群Ｌ４の間隔が狭まり、第４レンズ群Ｌ４と第５レンズ群Ｌ５の間隔が広がる。更に第５レンズ群Ｌ５と第６レンズ群Ｌ６の間隔が狭まる。第６レンズ群Ｌ６と第７レンズ群Ｌ７の間隔が広がり、第７レンズ群Ｌ７と像面の間隔が広がるようにしている。
【００２７】
また、第３レンズ群Ｌ３は１枚の負レンズより構成される。または第３レンズ群Ｌ３は負レンズと負レンズの像側に配置された正レンズを接合した接合レンズ、及び負レンズより構成される。また、第４レンズ群Ｌ４は正の屈折力の第４Ａ部分群Ｌ４Ａと正の屈折力の第４Ｂ部分群Ｌ４Ｂより構成している。像ぶれ補正に際して第４Ｂ部分群Ｌ４Ｂを光軸に対して垂直方向の成分を含む方向に移動させている。
【００２８】
以上のようにして、本発明では、フォーカシング用の第３レンズ群Ｌ３が小型軽量であり、かつ全系が小型で高性能なズームレンズを得ている。
【００２９】
本発明において更に好ましくは、次の条件式のうち１つ以上を満足するのが良い。ズーミングに際して、第１レンズ群Ｌ１は移動し、広角端から望遠端へのズーミングにおける第１レンズ群Ｌ１の移動量をＭＬ１（移動量ＭＬ１）とする。ここで、レンズ群の移動量とは、広角端と望遠端におけるレンズ群の光軸上の位置の差である。レンズ群の移動量の符号は、広角端に比べて望遠端において物体側に位置するときを負、像側に位置するときを正とする。広角端におけるレンズ全長をＴＤｗとする。
【００３０】
ズーミングに際して第７レンズ群Ｌ７は移動し、広角端から望遠端へのズーミングにおける第７レンズ群Ｌ７の移動量をＭＬ７（移動量ＭＬ７）とする。広角端から望遠端へのズーミングにおける第１レンズ群Ｌ１と第２レンズ群Ｌ２の間隔変化量をＤ１２とする。ここで間隔変化量の符号は、広角端に比べて望遠端において増加するときを正、減少するときを負とする。広角端から望遠端へのズーミングにおける第３レンズ群Ｌ３と第４レンズ群Ｌ４の間隔変化量をＤ３４とする。
【００３１】
広角端から望遠端へのズーミングにおける第４レンズ群Ｌ４と第５レンズ群Ｌ５の間隔変化量をＤ４５とする。広角端から望遠端へのズーミングにおける第５レンズ群Ｌ５と第６レンズ群Ｌ６の間隔変化量をＤ５６とする。広角端から望遠端へのズーミングにおける第６レンズ群Ｌ６と第７レンズ群Ｌ７の間隔をＤ６７とする。第２レンズ群Ｌ２の焦点距離をｆＬ２、第３レンズ群Ｌ３の焦点距離をｆＬ３とする。第５レンズ群Ｌ５の焦点距離をｆＬ５、第６レンズ群Ｌ６の焦点距離をｆＬ６とする。
【００３２】
第１レンズ群Ｌ１の焦点距離をｆＬ１、第４レンズ群Ｌ２の焦点距離をｆＬ４とする。第７レンズ群Ｌ７の焦点距離をｆＬ７、広角端における全系の焦点距離をｆｗとする。
【００３３】
このとき、次の条件式のうち１つ以上を満足するのが良い。
０．３０＜−ＭＬ１／ＴＤｗ＜０．６０  ・・・（１）
０．１０＜−ＭＬ７／ＴＤｗ＜０．４０  ・・・（２）
０．２０＜Ｄ１２／ＴＤｗ＜０．６０    ・・・（３）
０．０８＜−Ｄ３４／ＴＤｗ＜０．３０  ・・・（４）
０．０２＜Ｄ４５／ＴＤｗ＜０．１０    ・・・（５）
０．０２＜−Ｄ５６／ＴＤｗ＜０．１０  ・・・（６）
０．０２＜Ｄ６７／ＴＤｗ＜０．２０    ・・・（７）
０．５０＜ｆＬ３／ｆＬ２＜２．００    ・・・（８）
０．２０＜ｆＬ６／ｆＬ５＜２．００    ・・・（９）
２．００＜ｆＬ１／ｆｗ＜７．００      ・・・（１０）
０．８０＜−ｆＬ２／ｆｗ＜２．５０    ・・・（１１）
１．００＜−ｆＬ３／ｆｗ＜３．００    ・・・（１２）
０．５０＜ｆＬ４／ｆｗ＜１．５０      ・・・（１３）
１．００＜−ｆＬ５／ｆｗ＜５．００    ・・・（１４）
０．８０＜−ｆＬ６／ｆｗ＜４．００    ・・・（１５）
１．５０＜ｆＬ７／ｆｗ＜５．００      ・・・（１６）
【００３４】
次に前述の各条件式の技術的意味について説明する。条件式（１）の上限値を超えて第１レンズ群Ｌ１の移動量が大き過ぎると、カム環などの各レンズ群を移動する機構の構成が困難となるため、好ましくない。条件式（１）の下限値を超えると、ズーミングに際して倍率色収差、軸上色収差、歪曲収差等の諸収差の変動が大きくなるため好ましくない。
【００３５】
条件式（２）の上限値を超えて、第７レンズ群Ｌ７の移動量が大き過ぎると、カム環などの各レンズ群を移動する機構の構成が困難となるため、好ましくない。条件式（２）の下限値を超えると、ズーミングに際して倍率色収差、歪曲収差等の諸収差の変動が大きくなるため好ましくない。
【００３６】
条件式（３）乃至（７）のいずれか１つの条件式の上限値を超えて、移動量が大き過ぎると、カム環などの各レンズ群を移動する機構の構成が困難となるため、好ましくない。条件式（３）乃至（７）のいずれか１つの条件式の下限値を超えると、変倍を効率的に行うのが困難となるため好ましくない。
【００３７】
条件式（８）の下限値を超えて、第３レンズ群Ｌ３の負の屈折力が強すぎると（負の屈折力の絶対値が大きくなると）、フォーカシングによる球面収差の変動が大きくなるため好ましくない。条件式（８）の上限値を超えると、第３レンズ群Ｌ３のフォーカシングに際して移動量が大き過ぎて、レンズ全長が長くなるため好ましくない。
【００３８】
条件式（９）の上限値を超えて、第６レンズ群Ｌ６の負の屈折力が弱過ぎると、第６レンズ群Ｌ６と第７レンズ群Ｌ７間の変倍効果が弱まるため、効率的な変倍が困難となり、好ましくない。条件式（９）の下限値を超えて、第５レンズ群Ｌ５の負の屈折力が弱すぎると、第４レンズ群Ｌ４と第５レンズ群Ｌ５間の変倍効果が弱まるため、効率的な変倍が困難となり、好ましくない。
【００３９】
条件式（１０）の上限値を超えて、第１レンズ群Ｌ１の屈折力が弱過ぎると、ズーミングに際しての移動量が大きくなり、レンズ全長が長くなるため、好ましくない。条件式（１０）の下限値を超えて、第１レンズ群Ｌ１の屈折力が強過ぎると、ズーミングに伴う歪曲収差の変動が大きくなるため好ましくない。
【００４０】
条件式（１１）の上限値を超えて、第２レンズ群Ｌ２の負の屈折力が弱過ぎると、第１レンズ群Ｌ１と第２レンズ群Ｌ２の間隔変化での変倍効果が小さくなり、全系が大型化するため好ましくない。条件式（１１）の下限値を超えて、第２レンズ群Ｌ２の負の屈折力が強過ぎると、軸上収差及び軸外収差のズーミングに伴う収差変動が大きくなるため、好ましくない。
【００４１】
条件式（１２）の上限値を超えて、第３レンズ群Ｌ３の負の屈折力が弱過ぎると、フォーカシングに際しての繰り出し量が大きくなってしまい、レンズ全長が長くなるため、好ましくない。条件式（１２）の下限値を超えて、第３レンズ群Ｌ３の負の屈折力が強過ぎると、フォーカシングに伴う球面収差の変動が大きくなるため好ましくない。
【００４２】
条件式（１３）の上限値を超えて、第４レンズ群Ｌ４の正の屈折力が弱過ぎると、第５レンズ群Ｌ５との間の間隔変動による変倍効果が小さくなり、レンズ全長が長くなるため、好ましくない。条件式（１３）の下限値を超えて、第４レンズ群Ｌ４の正の屈折力が強過ぎると、球面収差変動が大きくなるため好ましくない。
【００４３】
条件式（１４）の上限値を超えて、第５レンズ群Ｌ５の負の屈折力が弱過ぎると、第４レンズ群Ｌ４との間の間隔変動による変倍効果が小さくなり、レンズ全長が長くなるため、好ましくない。条件式（１４）の下限値を超えて、第５レンズ群Ｌ５の負の屈折力が強過ぎると、ズーミングに伴う球面収差の変動が大きくなるため好ましくない。
【００４４】
条件式（１５）の上限値を超えて、第６レンズ群Ｌ６の負の屈折力が弱過ぎると、第７レンズ群Ｌ７との間の間隔変動による変倍効果が小さくなり、レンズ全長が長くなるため、好ましくない。条件式（１５）の下限値を超えて、第６レンズ群Ｌ６の負の屈折力が強過ぎると、ズーミングに伴う像面湾曲の変動が大きくなるため好ましくない。
【００４５】
条件式（１６）の上限値を超えて、第７レンズ群Ｌ７の屈折力が弱過ぎると、第６レンズ群Ｌ６との間の間隔変動による変倍効果が小さくなり、レンズ全長が長くなるため、好ましくない。条件式（１６）の下限値を超えて、第７レンズ群Ｌ７の屈折力が強過ぎると、ズーミングに伴う像面湾曲の変動が大きくなるため好ましくない。
【００４６】
好ましくは条件式（１）乃至（１６）の数値範囲を次の如く設定するのが良い。
０．４０＜−ＭＬ１／ＴＤｗ＜０．５５    ・・・（１ａ）
０．１５＜−ＭＬ７／ＴＤｗ＜０．３０    ・・・（２ａ）
０．２５＜Ｄ１２／ＴＤｗ＜０．４０      ・・・（３ａ）
０．１０＜−Ｄ３４／ＴＤｗ＜０．２０    ・・・（４ａ）
０．０３＜Ｄ４５／ＴＤｗ＜０．０８      ・・・（５ａ）
０．０３＜−Ｄ５６／ＴＤｗ＜０．０８    ・・・（６ａ）
０．０４＜Ｄ６７／ＴＤｗ＜０．１５      ・・・（７ａ）
０．６０＜ｆＬ３／ｆＬ２＜１．８０      ・・・（８ａ）
０．３０＜ｆＬ６／ｆＬ５＜１．４０      ・・・（９ａ）
３．００＜ｆＬ１／ｆｗ＜６．００        ・・・（１０ａ）
１．００＜−ｆＬ２／ｆｗ＜２．２０      ・・・（１１ａ）
１．４０＜−ｆＬ３／ｆｗ＜２．５０      ・・・（１２ａ）
０．７０＜ｆＬ４／ｆｗ＜１．２０        ・・・（１３ａ）
１．５０＜−ｆＬ５／ｆｗ＜４．００      ・・・（１４ａ）
１．００＜−ｆＬ６／ｆｗ＜３．００      ・・・（１５ａ）
１．８０＜ｆＬ７／ｆｗ＜３．００        ・・・（１６ａ）
【００４７】
図７に、本発明の撮像装置の一例としての一眼レフカメラについて説明する。図７において１０は実施例１乃至３のいずれか１つのズームレンズ１を有する交換レンズである。ズームレンズ１は保持部材である鏡筒２に保持されている。２０はカメラ本体であり、交換レンズ１０からの光束を上方に反射するクイックリターンミラー３、交換レンズ１０の像形成装置に配置された焦点板４より構成されている。更に焦点板４に形成された逆像を正立像に変換するペンタダハプリズム５、その正立像を観察するための接眼レンズ６などによって構成されている。
【００４８】
７は感光面であり、ＣＣＤセンサーやＣＭＯＳセンサー等のズームレンズによって形成される像を受光する撮像素子（光電変換素子）が配置される。撮像時にはクイックリターンミラー３が光路から退避して、感光面７上に交換レンズ１０によって像が形成される。実施例１乃至３にて説明した利益は本実施例に開示したような撮像装置において効果的に享受される。撮像装置としてクイックリターンミラー３のないミラーレスの一眼レフカメラにも同様に適用できる。
【００４９】
以上、本発明の好ましい撮像光学系の実施例について説明したが、本発明はこれらの実施例に限定されないことは言うまでもなく、その要旨の範囲内で種々の変形及び変更が可能である。
【００５０】
以下、実施例１乃至３の具体的な数値データを示す。各数値データにおいて、ｉは物体側から数えた順序を示し、ｒｉは第ｉ番目の光学面（第ｉ面）の曲率半径、ｄｉは第ｉ面と第（ｉ＋１）面との間の軸上間隔を示す。又、ｎｄｉ、νｄｉはそれぞれｄ線に対する第ｉ番目の光学部材の材料の屈折率、アッベ数である。非球面係数は光軸方向にＸ軸、光軸と垂直方向にＨ軸、光の進行方向を正とし、Ｒを近軸曲率半径、Ｋを円錐定数、Ａ４、Ａ６、Ａ８、Ａ１０、Ａ１２を各々非球面係数としたとき、
【００５１】
【数１】
2019032389.tif 000003
なる式で表している。＊は非球面形状を有する面を意味している。「ｅ−ｘ」は１０−ｘを意味している。ＢＦは空気換算のバックフォーカスである。レンズ全長は第１レンズ面から最終レンズ面までの距離にバックフォーカスＢＦの値を加えた値である。また、前述の各条件式に関するパラメータの値と数値データとの関係を表１に示す。 
【００５２】
（数値データ１）
単位 mm
面データ
面番号       r        d      nd         νd       有効径
1        556.905    1.90   1.84666    23.8       63.82
2        101.939    6.25   1.76385    48.5       59.22
3      -1188.435    0.15                         58.82
4         56.109    6.19   1.76385    48.5       54.90
5        141.141  (可変)                         53.76
6*        56.706    1.61   1.85400    40.4       32.66
7*        15.700    7.47                         24.14
8        -47.401    1.20   1.72916    54.7       23.88
9         32.634    0.15                         22.08
10         27.688    4.77   1.84666    23.8       22.12
11        -87.726  (可変)                         21.49
12        -23.845    0.90   1.77250    49.6       19.18
13        -71.268  (可変)                         20.18
14(絞り)    ∞       0.30                         (可変)
15         20.702    5.76   1.59522    67.7       25.94
16        101.660    0.27                         25.47
17         21.437    7.72   1.49700    81.5       24.69
18        -66.309    1.40   1.85400    40.4       23.03
19*        30.640    1.35                         21.15
20         20.813    6.50   1.49700    81.5       21.70
21        -39.724    0.15                         21.26
22*        34.130    5.97   1.58313    59.4       19.37
23        -17.465    1.00   1.78800    47.4       18.08
24        609.711  (可変)                         17.10
25        107.501    0.90   1.88300    40.8       17.20
26         31.210  (可変)                         17.27
27*       -16.770    1.40   1.58313    59.4       22.18
28*       -36.845  (可変)                         26.45
29        445.228    4.75   1.90366    31.3       34.98
30        -62.425                                 35.72
【００５３】
非球面データ
第6面
K = 0.00000e+000  A 4= 1.88992e-006  A 6= 1.36847e-008  A 8=-4.73978e-011  A10= 5.15455e-014  
第7面
K = 0.00000e+000  A 4=-1.24412e-006  A 6= 4.00306e-008  A 8=-1.84342e-010  A10= 1.23905e-012  A12=-1.73436e-015  
第19面
K = 0.00000e+000  A 4= 3.20871e-005  A 6= 7.44384e-008  A 8=-1.52416e-010  A10= 2.28660e-012  
第22面
K = 0.00000e+000  A 4=-1.52634e-005  A 6= 1.44253e-008  A 8=-5.70917e-010  A10= 2.20503e-012  
第27面
K = 0.00000e+000  A 4=-1.12870e-004  A 6= 7.20043e-007  A 8=-2.79430e-009  A10= 8.48898e-012  A12=-6.01551e-014  
第28面
K = 0.00000e+000  A 4=-8.61730e-005  A 6= 7.14206e-007  A 8=-2.43995e-009  A10= 2.92737e-012  
【００５４】
各種データ
ズーム比      4.13 
広角     中間     望遠
焦点距離      24.70    50.00   102.00  
Fナンバー      4.11     4.11     4.11  
半画角（度）  41.22    23.40    11.98  
像高          21.64    21.64    21.64  
レンズ全長   120.54   141.58   177.46  
BF            13.50    21.12    34.80  
d 5            1.20    14.63    36.82  
d11            4.49     4.30     6.37  
d13           18.07     8.79     2.80  
d24            0.80     4.99     6.73  
d26           13.64     9.45     7.71  
d28            0.80    10.27    14.20 
開口絞り       13.63    18.58    22.60 
入射瞳位置    29.77    52.28   121.33  
射出瞳位置   -39.56   -69.02   -86.80  
前側主点位置  42.98    74.55   137.77  
後側主点位置 -11.20   -28.88   -67.19  
レンズ群データ
群  始面    焦点距離  レンズ構成長  前側主点位置  後側主点位置
1    1     102.05        14.48         2.36         -5.77
2    6     -30.29        15.19        -0.76        -13.64
3   12     -46.77         0.90        -0.26         -0.77
4   14      21.25        30.42         5.68        -16.65
5   25     -50.08         0.90         0.68          0.20
6   27     -54.17         1.40        -0.76         -1.67
7   29      60.86         4.75         2.20         -0.31
単レンズデータ
レンズ  始面  焦点距離
1       1   -147.66
2       2    123.17
3       4    118.20
4       6    -25.89
5       8    -26.34
6      10     25.34
7      12    -46.77
8      15     42.54
9      17     33.58
10      18    -24.38
11      20     28.50
12      22     20.69
13      23    -21.53
14      25    -50.08
15      27    -54.17
16      29     60.86
【００５５】
（数値データ２）
単位 mm
面データ
面番号       r        d      nd         νd       有効径
1        165.759    1.90   1.84666    23.8       62.99
2         74.724    5.83   1.77250    49.6       60.78
3        214.248    0.15                         60.21
4         69.300    6.10   1.77250    49.6       58.17
5        216.903  (可変)                         57.22
6*        65.908    1.70   1.85400    40.4       34.46
7*        16.217    7.91                         25.40
8        -50.903    1.20   1.65160    58.5       25.17
9         62.177    0.15                         23.69
10         31.641    4.64   1.84666    23.8       23.24
11        -99.615  (可変)                         22.33
12        -28.234    0.90   1.77250    49.6       19.59
13       -256.424  (可変)                         20.25
14(絞り)    ∞       0.30                         (可変)
15*        20.735    5.86   1.77250    49.6       24.40
16        403.345    0.79                         23.87
17        111.004    1.20   1.83400    37.2       23.44
18         15.826    7.52   1.49700    81.5       22.01
19        -71.148    0.30                         22.15
20*       149.485    3.21   1.58313    59.4       22.06
21        -59.273    0.15                         21.91
22         28.918    5.26   1.49700    81.5       20.83
23        -33.273    1.10   1.61340    44.3       19.97
24         98.677  (可変)                         18.92
25        138.250    3.09   1.54072    47.2       16.83
26        -22.849    0.15                         16.95
27        -27.369    0.90   1.76385    48.5       16.84
28         55.018  (可変)                         17.25
29*       -19.328    1.40   1.85400    40.4       21.23
30*       -42.309  (可変)                         25.05
31        205.301    5.05   1.72047    34.7       31.41
32        -51.178                                 32.60
【００５６】
非球面データ
第6面
K = 0.00000e+000  A 4= 3.57670e-006  A 6=-1.86453e-008  A 8= 8.36147e-011  A10=-9.64536e-014  
第7面
K = 0.00000e+000  A 4=-4.57158e-007  A 6=-1.94217e-008  A 8= 1.69060e-010  A10=-2.30286e-012  A12= 1.30164e-014  
第15面
K = 0.00000e+000  A 4=-1.38280e-005  A 6=-6.80034e-009  A 8= 1.59813e-011  A10=-2.39759e-013  A12= 3.02362e-016  
第20面
K = 0.00000e+000  A 4=-1.93061e-006  A 6= 1.70850e-008  A 8=-2.19364e-010  A10= 1.32959e-012  A12=-2.84139e-015  
第29面
K = 0.00000e+000  A 4=-1.55781e-004  A 6= 7.77472e-007  A 8=-1.51786e-009  A10=-1.11911e-011  
第30面
K = 0.00000e+000  A 4=-1.16357e-004  A 6= 9.61420e-007  A 8=-3.63528e-009  A10= 5.33872e-012  
【００５７】
各種データ
ズーム比     4.13 
広角     中間     望遠
焦点距離      24.70    50.00   102.00  
Fナンバー      4.11     4.11     4.11  
半画角（度）  41.22    23.40    11.98  
像高          21.64    21.64    21.64  
レンズ全長   120.49   142.37   180.46  
BF            13.50    24.40    39.50  
d 5            1.20    16.47    42.67  
d11            3.51     4.92     6.13  
d13           20.28     8.58     2.50  
d24            1.60     7.60     9.27  
d28           12.83     6.84     5.16  
d30            0.80     6.79     8.47 
開口絞り       13.22    17.81    21.94 
入射瞳位置    30.47    54.99   128.66  
射出瞳位置   -37.00   -52.40   -57.49  
前側主点位置  43.09    72.44   123.39  
後側主点位置 -11.20   -25.60   -62.50  
レンズ群データ
群  始面    焦点距離  レンズ構成長  前側主点位置  後側主点位置
1    1     122.45        13.99         0.67         -7.17
2    6     -46.62        15.60        -5.18        -20.17
3   12     -41.14         0.90        -0.06         -0.57
4   14      22.39        25.69         5.37        -13.09
5   25     -71.92         4.14         3.56          0.85
6   29     -42.87         1.40        -0.65         -1.43
7   31      57.33         5.05         2.37         -0.59
単レンズデータ
レンズ  始面  焦点距離
1       1   -162.26
2       2    145.88
3       4    129.49
4       6    -25.59
5       8    -42.78
6      10     28.83
7      12    -41.14
8      15     28.11
9      17    -22.26
10      18     26.82
11      20     73.20
12      22     32.03
13      23    -40.44
14      25     36.51
15      27    -23.81
16      29    -42.87
17      31     57.33
【００５８】
（数値データ３）
単位 mm
面データ
面番号       r        d      nd         νd       有効径
1        117.560    1.90   1.84666    23.8       58.85
2         64.363    5.28   1.77250    49.6       55.75
3        152.102    0.15                         54.78
4         67.594    5.40   1.77250    49.6       52.52
5        221.753  (可変)                         51.56
6*        97.527    1.80   1.85400    40.4       36.29
7*        17.910    7.57                         26.88
8        -68.908    1.30   1.61772    49.8       26.66
9         20.246    5.82   1.90366    31.3       23.79
10       1463.267  (可変)                         22.63
11       1142.889    1.00   1.91082    35.3       20.00
12         55.377    2.48   1.89286    20.4       19.97
13       -283.472    1.66                         20.08
14        -26.747    1.00   1.83481    42.7       20.06
15       -106.281  (可変)                         21.16
16(絞り)    ∞       0.30                         (可変)
17*        19.449    8.09   1.58313    59.4       26.92
18*       -68.779    0.53                         26.50
19          ∞       0.15                         (可変)フレアーカット絞り
20         43.245    1.20   1.72047    34.7       25.11
21         14.118    7.66   1.49700    81.5       22.69
22        251.384    0.33                         22.31
23         43.287    5.47   1.49700    81.5       22.00
24        -26.410    1.00   1.83481    42.7       21.39
25        -50.337  (可変)                         21.18
26         62.300    2.64   1.62588    35.7       17.39
27        -44.000    0.15                         17.27
28        -66.136    0.90   1.88300    40.8       17.07
29         37.758  (可変)                         17.06
30*       -16.168    1.40   1.85400    40.4       20.42
31*       -35.651  (可変)                         24.50
32       -300.010    5.43   1.64769    33.8       30.05
33        -32.443                                 31.25
【００５９】
非球面データ
第6面
K = 0.00000e+000  A 4= 2.42655e-006  A 6=-2.57064e-009  A 8= 1.04942e-011  A10=-1.01367e-014  
第7面
K = 0.00000e+000  A 4=-1.55471e-006  A 6= 1.34642e-008  A 8=-1.41300e-010  A10= 5.87417e-013  
第17面
K = 0.00000e+000  A 4=-1.88356e-005  A 6=-7.03717e-009  A 8=-8.34964e-012  A10=-1.01011e-013  
第18面
K = 0.00000e+000  A 4= 9.67382e-006  A 6=-5.23608e-009  A 8= 4.84796e-011  
第30面
K = 0.00000e+000  A 4=-1.79211e-004  A 6= 8.65505e-007  A 8= 1.77900e-010  A10=-2.46846e-011  
第31面
K = 0.00000e+000  A 4=-1.37143e-004  A 6= 1.20781e-006  A 8=-4.68861e-009  A10= 7.21741e-012  
【００６０】
各種データ
ズーム比     4.13 
広角     中間     望遠
焦点距離      24.70    50.00   102.00  
Fナンバー      4.11     4.11     4.11  
半画角（度）  41.22    23.40    11.98  
像高          21.64    21.64    21.64  
レンズ全長   122.53   144.71   182.48  
BF            13.50    25.11    43.52  
d 5            1.20    15.71    37.28  
d10            2.41     3.08     5.00  
d15           19.58     9.16     2.80  
d25            0.80     6.62     8.85  
d29           13.64     7.81     5.59  
d31            0.80     6.62     8.85 
開口絞り       13.66    18.50    23.45
フレアーカット絞り
13.29    19.04    25.89
入射瞳位置    31.01    56.10   120.74  
射出瞳位置   -36.81   -53.33   -61.11  
前側主点位置  43.58    74.23   123.30  
後側主点位置 -11.20   -24.89   -58.48  
レンズ群データ
群  始面    焦点距離  レンズ構成長  前側主点位置  後側主点位置
1    1     111.36        12.74         0.13         -7.01
2    6     -31.04        16.48        -0.14        -13.00
3   11     -51.40         6.14         3.65         -0.40
4   16      22.17        24.73         5.06        -13.39
5   26     -84.43         3.69         4.48          2.12
6   30     -35.83         1.40        -0.65         -1.43
7   32      55.72         5.43         3.66          0.40
単レンズデータ
レンズ  始面  焦点距離
1       1   -170.79
2       2    140.74
3       4    123.97
4       6    -25.96
5       8    -25.19
6       9     22.68
7      11    -63.92
8      12     52.07
9      14    -43.06
10      17     26.91
11      20    -29.61
12      21     29.78
13      23     33.89
14      24    -67.84
15      26     41.60
16      28    -27.11
17      30    -35.83
18      32     55.72
【００６１】
【表１】
2019032389.tif 000004
【符号の説明】
【００６２】
Ｌ０  ズームレンズ      Ｌ１  第１レンズ群      Ｌ２  第２レンズ群
Ｌ３  第３レンズ群      Ｌ４  第４レンズ群      Ｌ５  第５レンズ群
Ｌ６  第６レンズ群      Ｌ７  第７レンズ群
【図１】
2019032389.tif 000005
【図２】
2019032389.tif 000006
【図３】
2019032389.tif 000007
【図４】
2019032389.tif 000008
【図５】
2019032389.tif 000009
【図６】
2019032389.tif 000010
【図７】
2019032389.tif 000011